(57)【要約】【課題】パーシャル表示を行うときに発生する尾引きを低消費電力で抑制する。【解決手段】パーシャル表示制御回路１０、表示制御回路２１、走査信号線駆動回路２２、および、データ信号線駆動回路２３は、液晶パネル３０の駆動回路として機能する。ノーマリーホワイトの液晶パネル３０を使用する場合、駆動回路は、表示領域外の表示素子のうち、最初の行に配置された表示素子を白く見えるように駆動し、２番目以降の行に配置された表示素子を駆動しない。これに加えて駆動回路は、パーシャル表示モードでは、表示領域外のすべての表示素子を白く見えるように駆動する処理を周期的に行う。【選択図】図１
2007003558.tif 000002
【特許請求の範囲】
【請求項１】
画面の一部に表示を行う機能を有する表示装置であって、
行方向および列方向に配置された複数の表示素子と、
同じ行に配置された表示素子に共通して接続される複数の走査信号線と、
同じ列に配置された表示素子に共通して接続される複数のデータ信号線と、
前記走査信号線および前記データ信号線に印加される電圧を制御することにより、前記表示素子を順次駆動する駆動回路とを備え、
前記駆動回路は、画面の一部に表示を行うときには、一のフレーム時間において表示領域内の表示素子を駆動し終えた後、次のフレーム時間において前記表示領域内の表示素子を駆動し始めるまでの非表示期間について、各非表示期間内の一部の期間において前記データ信号線に所定の電圧を印加することを特徴とする、表示装置。
【請求項２】
前記駆動回路は、画面の一部に表示を行うときには、各非表示期間内の一部の水平走査期間において、前記データ信号線に前記所定の電圧を印加することを特徴とする、請求項１に記載の表示装置。
【請求項３】
前記駆動回路は、画面の一部に表示を行うときには、各非表示期間内の最初の水平走査期間において、前記データ信号線に前記所定の電圧を印加することを特徴とする、請求項２に記載の表示装置。
【請求項４】
前記駆動回路は、画面の一部に表示を行うときには、各非表示期間内の複数の水平走査期間において、前記データ信号線に前記所定の電圧を印加することを特徴とする、請求項２に記載の表示装置。
【請求項５】
前記駆動回路は、画面の一部に表示を行うときには、各非表示期間内の最初の水平走査期間を含む複数の水平走査期間において、前記データ信号線に前記所定の電圧を印加することを特徴とする、請求項２に記載の表示装置。
【請求項６】
前記駆動回路は、画面の一部に表示を行うときには、各非表示期間内の一部の水平走査期間では前記データ信号線に前記所定の電圧を印加し、残余の水平走査期間では前記データ信号線に特定の電圧を印加しないことを特徴とする、請求項２に記載の表示装置。
【請求項７】
前記駆動回路は、画面の一部に表示を行うときには、非表示期間内のすべての水平走査期間において前記データ信号線に前記所定の電圧を印加する処理を周期的に行うことを特徴とする、請求項２に記載の表示装置。
【請求項８】
前記所定の電圧は、前記表示素子に前記所定の電圧を印加して駆動したときと、前記表示素子に電圧が印加されていないときとで、前記表示素子が同じ色に見える電圧であることを特徴とする、請求項１に記載の表示装置。
【請求項９】
行方向および列方向に配置された複数の表示素子によって構成される画面の一部に表示を行うための表示素子の駆動方法であって、
同じ行に配置された表示素子に共通して接続される複数の走査信号線に印加される電圧を制御するステップと、
同じ列に配置された表示素子に共通して接続される複数のデータ信号線に印加される電圧を制御するステップとを備え、
前記データ信号線に印加される電圧を制御するステップは、一のフレーム時間において表示領域内の表示素子を駆動し終えた後、次のフレーム時間において前記表示領域内の表示素子を駆動し始めるまでの非表示期間について、各非表示期間内の一部の期間において前記データ信号線に所定の電圧を印加することを特徴とする、表示素子の駆動方法。
【発明の詳細な説明】
【技術分野】
【０００１】
本発明は、表示装置に関し、特に、画面の一部に表示を行う機能を有する表示装置に関する。
【背景技術】
【０００２】
液晶表示装置の中には、画面の一部に表示を行う（以下、パーシャル表示という）機能を有するものがある。パーシャル表示は、例えば携帯電話において、待ち受け中に電波の受信状態や時刻などを画面の一部に表示するときに使用される。パーシャル表示を行うときには、設定された表示領域内の表示素子は駆動されるが、表示領域外の表示素子は駆動されない。このようにパーシャル表示を行うことにより、駆動すべき表示素子を減らし、液晶表示装置の消費電力を低減することができる。
【０００３】
ところが、パーシャル表示を行うと、表示領域外にも不必要な線状のパターンが表示されることがある（図６を参照）。この現象は尾引きと呼ばれる。尾引きが発生する理由は、以下のとおりである。画面を構成する表示素子は、１本の走査信号線を活性化し、データ信号線に所定の電圧を印加することによって駆動される。表示領域内の最後の行に配置された表示素子を駆動するときにも、データ信号線には何らかの電圧が印加される。ところが、表示領域外の表示素子は駆動されないので、表示領域内の最後の行に配置された表示素子を駆動するときにデータ信号線に印加された電圧は、その後も残ったままになる。また、表示領域外の表示素子では、走査信号線が非活性状態のままでもリーク電流が流れるために、電荷が徐々に蓄積される。蓄積された電荷が一定量を超えると、画面上では尾引きが発生する。
【０００４】
従来から、尾引きの発生を抑制する方法として、いくつかの方法が知られている。例えば、特許文献１には、表示領域外の表示素子に対応した水平走査期間では、走査信号線を非活性化し、データ信号線に所定の電圧（例えば、白表示近傍の画像信号に対応した電圧）を印加する方法が開示されている。また、特許文献２および３には、表示領域外の表示素子を周期的にリフレッシュする（例えば、データ信号線に白表示を行うための電圧を周期的に印加する）方法が開示されている。
【特許文献１】特開２００２−２５８８０４号公報
【特許文献２】特開２００３−２４８４６８号公報
【特許文献３】特開２００２−１５６９４６号公報
【発明の開示】
【発明が解決しようとする課題】
【０００５】
しかしながら、特許文献１に記載された方法では、表示領域外の表示素子に対応した水平走査期間では、表示素子に対するデータの書き込みは行われないが、データ信号線に所定の電圧を印加する必要がある。このため、この方法には消費電力が増大するという問題がある。また、特許文献２および３に記載された方法では、尾引きの発生を抑制するために頻繁にリフレッシュを行う必要がある。このため、この方法にはリフレッシュの頻度に応じて消費電力が増大するという問題がある。
【０００６】
それ故に、本発明は、尾引きの発生を低消費電力で抑制できる表示装置を提供することを目的とする。
【課題を解決するための手段】
【０００７】
第１の発明は、画面の一部に表示を行う機能を有する表示装置であって、
行方向および列方向に配置された複数の表示素子と、
同じ行に配置された表示素子に共通して接続される複数の走査信号線と、
同じ列に配置された表示素子に共通して接続される複数のデータ信号線と、
前記走査信号線および前記データ信号線に印加される電圧を制御することにより、前記表示素子を順次駆動する駆動回路とを備え、
前記駆動回路は、画面の一部に表示を行うときには、一のフレーム時間において表示領域内の表示素子を駆動し終えた後、次のフレーム時間において前記表示領域内の表示素子を駆動し始めるまでの非表示期間について、各非表示期間内の一部の期間において前記データ信号線に所定の電圧を印加することを特徴とする。
【０００８】
第２の発明は、第１の発明において、
前記駆動回路は、画面の一部に表示を行うときには、各非表示期間内の一部の水平走査期間において、前記データ信号線に前記所定の電圧を印加することを特徴とする。
【０００９】
第３の発明は、第２の発明において、
前記駆動回路は、画面の一部に表示を行うときには、各非表示期間内の最初の水平走査期間において、前記データ信号線に前記所定の電圧を印加することを特徴とする。
【００１０】
第４の発明は、第２の発明において、
前記駆動回路は、画面の一部に表示を行うときには、各非表示期間内の複数の水平走査期間において、前記データ信号線に前記所定の電圧を印加することを特徴とする。
【００１１】
第５の発明は、第２の発明において、
前記駆動回路は、画面の一部に表示を行うときには、各非表示期間内の最初の水平走査期間を含む複数の水平走査期間において、前記データ信号線に前記所定の電圧を印加することを特徴とする。
【００１２】
第６の発明は、第２の発明において、
前記駆動回路は、画面の一部に表示を行うときには、各非表示期間内の一部の水平走査期間では前記データ信号線に前記所定の電圧を印加し、残余の水平走査期間では前記データ信号線に特定の電圧を印加しないことを特徴とする。
【００１３】
第７の発明は、第２の発明において、
前記駆動回路は、画面の一部に表示を行うときには、非表示期間内のすべての水平走査期間において前記データ信号線に前記所定の電圧を印加する処理を周期的に行うことを特徴とする。
【００１４】
第８の発明は、第１の発明において、
前記所定の電圧は、前記表示素子に前記所定の電圧を印加して駆動したときと、前記表示素子に電圧が印加されていないときとで、前記表示素子が同じ色に見える電圧であることを特徴とする。
【００１５】
第９の発明は、行方向および列方向に配置された複数の表示素子によって構成される画面の一部に表示を行うための表示素子の駆動方法であって、
同じ行に配置された表示素子に共通して接続される複数の走査信号線に印加される電圧を制御するステップと、
同じ列に配置された表示素子に共通して接続される複数のデータ信号線に印加される電圧を制御するステップとを備え、
前記データ信号線に印加される電圧を制御するステップは、一のフレーム時間において表示領域内の表示素子を駆動し終えた後、次のフレーム時間において前記表示領域内の表示素子を駆動し始めるまでの非表示期間について、各非表示期間内の一部の期間において前記データ信号線に所定の電圧を印加することを特徴とする。
【発明の効果】
【００１６】
上記第１または第９の発明によれば、表示領域外の表示素子の一部だけを特定の色に見えるように駆動することにより、尾引きの発生を低消費電力で抑制することができる。
【００１７】
上記第２の発明によれば、表示領域外の一部の行に配置された表示素子を特定の色に見えるように駆動することにより、尾引きの発生を低消費電力で抑制することができる。
【００１８】
上記第３の発明によれば、表示領域外の最初の行に配置された表示素子を特定の色に見えるように駆動することにより、尾引きの発生を低消費電力で抑制することができる。
【００１９】
上記第４の発明によれば、表示領域外の複数の行に配置された表示素子を特定の色に見えるように駆動することにより、尾引きの発生を低消費電力でより確実に抑制することができる。
【００２０】
上記第５の発明によれば、表示領域外の最初の行を含む複数の行に配置された表示素子を特定の色に見えるように駆動することにより、尾引きの発生を最低限必要な消費電力でより確実に抑制することができる。
【００２１】
上記第６の発明によれば、表示領域外の一部の行に配置された表示素子を特定の色に見えるように駆動し、表示領域外の残余の行に配置された表示素子を駆動しないことにより、尾引きの発生を低消費電力で抑制することができる。
【００２２】
上記第７の発明によれば、表示領域外の表示素子を特定の色に見えるように駆動する処理を周期的に行うことにより、尾引きの発生を低消費電力でより確実に抑制することができる。
【００２３】
上記第８の発明によれば、表示領域外の表示素子を駆動するときに印加する電圧のレベルを下げることにより、表示装置の消費電力を低減することができる。
【発明を実施するための最良の形態】
【００２４】
図１は、本発明の一実施形態に係る液晶表示装置の構成を示す図である。図１に示す液晶表示装置１は、パーシャル表示制御回路１０、表示制御回路２１、走査信号線駆動回路２２、データ信号線駆動回路２３、および、液晶パネル３０を備えている。これらの構成要素のうち、パーシャル表示制御回路１０、表示制御回路２１、走査信号線駆動回路２２、および、データ信号線駆動回路２３は、液晶パネル３０の駆動回路として機能する。
【００２５】
液晶パネル３０は、ｎ本の走査信号線Ｇ１〜Ｇｎ、ｍ本のデータ信号線Ｓ１〜Ｓｍ、および、（ｍ×ｎ）個の表示素子を含んでいる。表示素子（図１では符号Ｐを付した矩形で示す）は、行方向にｍ個、列方向にｎ個配置される。同じ行に配置された表示素子は、走査信号線Ｇ１〜Ｇｎのいずれかに共通して接続される。同じ列に配置された表示素子は、データ信号線Ｓ１〜Ｓｍのいずれかに共通して接続される。以下の説明では、液晶パネル３０は、ノーマリーホワイトの（電圧が印加されていないときは白く見える）液晶パネルであるとする。なお、走査信号線はゲート線、データ信号線はソース線とも呼ばれる。
【００２６】
液晶表示装置１は、画面全体に表示を行う機能と、画面の一部に表示を行う機能とを有している。前者を「全面表示」、後者を「パーシャル表示」という。以下の説明では、パーシャル表示モードでは、画面の上端からｓ行分の領域（すなわち、ライン１からラインｓまで）を表示領域として使用するものとする。一例を挙げると、ｍが２４０、ｎが３２０であるとき、ｓは６４に設定される。なお、ｍ、ｎおよびｓの値は、ｎ＞ｓである限り任意でよい。
【００２７】
液晶表示装置１には、図１に示すように、垂直同期信号ＶＳＹＮＣ、水平同期信号ＨＳＹＮＣ、出力イネーブル信号ＯＥ、データ信号ＤＡＴＡ、および、ドットクロックＭＣＬＫ（図示せず）が入力される。図２は、液晶表示装置１の入力信号のタイミングチャートである。垂直同期信号ＶＳＹＮＣおよび水平同期信号ＨＳＹＮＣは、いずれも周期的に変化する。以下、垂直同期信号ＶＳＹＮＣの１周期を「垂直走査期間（フレーム時間ともいう）」といい、水平同期信号ＨＳＹＮＣの１周期を「水平走査期間」という。１垂直走査期間の長さは（ａ＋ｂ＋ｎ＋ｃ）個の水平走査期間の長さに等しく、１水平走査期間の長さは（ｄ＋ｅ＋ｍ＋ｆ）クロックサイクルに等しい。図２に示すａからｆの値は、液晶パネル３０の特性に応じて決定される。
【００２８】
出力イネーブル信号ＯＥは、データ信号ＤＡＴＡが有効であるときはハイレベル、それ以外のときはローレベルとなる信号である。出力イネーブル信号ＯＥは、全面表示モードでは１垂直走査期間あたり（ｍ×ｎ）サイクルでハイレベルとなり、パーシャル表示モードでは１垂直走査期間あたり（ｍ×ｓ）サイクルでハイレベルとなる。
【００２９】
パーシャル表示制御回路１０は、垂直同期信号ＶＳＹＮＣ、水平同期信号ＨＳＹＮＣ、出力イネーブル信号ＯＥ、データ信号ＤＡＴＡ、および、ドットクロックＭＣＬＫに基づき、出力イネーブル信号ＯＥ２およびデータ信号ＤＡＴＡ２を出力する。パーシャル表示制御回路１０は、入力信号に基づきモード判別を行う機能と、パーシャル表示モードにおいて、ある条件を満たす表示素子を白く見えるように駆動する信号を出力する機能と有する。
【００３０】
まず、全面表示モードにおける液晶表示装置１の動作を説明する。パーシャル表示制御回路１０は、全面表示モードでは、入力された出力イネーブル信号ＯＥおよびデータ信号ＤＡＴＡをそのまま、出力イネーブル信号ＯＥ２およびデータ信号ＤＡＴＡ２として出力する。
【００３１】
表示制御回路２１、走査信号線駆動回路２２およびデータ信号線駆動回路２３は、一般的な液晶表示装置に含まれる回路と同様に動作する。より詳細には、表示制御回路２１は、垂直同期信号ＶＳＹＮＣ、水平同期信号ＨＳＹＮＣ、出力イネーブル信号ＯＥ２、データ信号ＤＡＴＡ２およびドットクロックＭＣＬＫに基づき、走査信号線駆動回路２２を制御するための制御信号ＧＣｎｔｌ、データ信号線駆動回路２３を制御するための制御信号ＳＣｎｔｌ、および、データ信号線駆動回路２３に供給されるデータ信号ＳＤａｔａを出力する。
【００３２】
走査信号線駆動回路２２は、制御信号ＧＣｎｔｌに基づき、走査信号線Ｇ１〜Ｇｎに印加される電圧を制御する。これにより、走査信号線Ｇ１〜Ｇｎの中から一の走査信号線が選択され、１行分の表示素子が選択される。データ信号線駆動回路２３は、制御信号ＳＣｎｔｌおよびデータ信号ＳＤａｔａに基づき、データ信号線Ｓ１〜Ｓｍに印加される電圧を制御する。これにより、選択された１行分の表示素子に、データ信号線Ｓ１〜Ｓｍ経由でデータが書き込まれる。
【００３３】
図３は、走査信号線とデータ信号線に印加される電圧の変化を示すタイミングチャートである。図３に示すように、ある水平走査期間においてラインｊ（ｊは１以上ｎ以下の整数）に配置された表示素子に書き込むべきデータが液晶表示装置１の外部から入力された場合、次の水平走査期間では、走査信号線Ｇｊが活性化され、データ信号線Ｓ１〜Ｓｍには入力されたデータに応じた電圧が印加される。全面表示モードでは、１垂直走査期間内に上記の動作がｎ回行われる。これにより、液晶パネル３０に含まれる（ｍ×ｎ）個の表示素子が駆動され、全面表示が行われる。
【００３４】
なお、制御信号ＧＣｎｔｌ、ＳＣｎｔｌには、走査信号線駆動回路２２およびデータ信号線駆動回路２３を正しく制御できる任意の信号を使用することができる。例えば、制御信号ＧＣｎｔｌには、垂直走査期間の開始を示す信号や、水平走査期間の開始を示す信号や、走査信号線を活性化するか否かを制御する信号（この信号は出力イネーブル信号ＯＥ２に基づき生成される）などが含まれる。また、制御信号ＳＣｎｔｌには、水平走査期間の開始を示す信号や、データをシフトするタイミングを示す信号や、１行分の表示素子へのデータの書き込み開始を示す信号が含まれる。
【００３５】
次に、パーシャル表示モードにおける液晶表示装置１の動作を説明する。パーシャル表示モードでは、出力イネーブル信号ＯＥは、１垂直走査期間内のｓ個の水平走査期間でハイレベルとなる。パーシャル表示制御回路１０は、後述する条件Ｃ１またはＣ２を満たす水平走査期間では、出力イネーブル信号ＯＥ２をイネーブル状態（ハイレベル）に設定するとともに、データ信号ＤＡＴＡ２を表示素子が白く見えるレベル（以下、白レベルという）に設定する。表示制御回路２１、走査信号線駆動回路２２およびデータ信号線駆動回路２３は、パーシャル表示モードでも全面表示モードと同じように動作する。
【００３６】
図４は、パーシャル表示制御回路１０の詳細を示す図である。パーシャル表示制御回路１０は、図４に示すように、モード判別部１１、リフレッシュタイミング生成部１２、イネーブル信号処理部１３、および、データ信号処理部１４を含んでいる。なお、これらの構成要素には、システムクロックとして、ドットクロックＭＣＬＫ（図示せず）が供給される。
【００３７】
モード判別部１１は、入力信号に基づきモード判別を行う。より詳細には、モード判別部１１は、１垂直走査期間（すなわち、垂直同期信号ＶＳＹＮＣの１周期）内に出力イネーブル信号ＯＥがイネーブル状態（ハイレベル）となる回数を数える。モード判別部１１は、数えた回数が所定の閾値ＴＨ１よりも大きい場合には全面表示モード、それ以外の場合にはパーシャル表示モードと判断する。モード判別部１１から出力されるモード信号１１０は、全面表示モードではローレベル、パーシャル表示モードではハイレベルとなる。
【００３８】
リフレッシュタイミング生成部１２は、現在の垂直走査期間でリフレッシュを行うか否かを判断する。より詳細には、リフレッシュタイミング生成部１２は、垂直走査期間ごとにカウント値が１ずつ増加するカウンタを有している。リフレッシュタイミング生成部１２は、カウント値と所定の閾値ＴＨ２とを比較し、両者が一致した垂直走査期間ではリフレッシュを行うと判断するとともに、カウント値をゼロにリセットする。リフレッシュタイミング生成部１２から出力されるリフレッシュ指示信号１２０は、リフレッシュを行うと判断された垂直走査期間ではハイレベル、それ以外の垂直走査期間ではローレベルとなる。
【００３９】
イネーブル信号処理部１３は、モード信号１１０およびリフレッシュ指示信号１２０に基づき、ある条件を満たす水平走査期間では出力イネーブル信号ＯＥ２をイネーブル状態に設定する。より詳細には、イネーブル信号処理部１３は、以下の条件Ｃ１またはＣ２を満たす水平走査期間ではハイレベルの出力イネーブル信号ＯＥ２を出力し、それ以外の水平走査期間では、出力イネーブル信号ＯＥをそのまま出力イネーブル信号ＯＥ２として出力する。
条件Ｃ１：パーシャル表示モードにおいて、直前の水平走査期間ではハイレベルの出力イネーブル信号ＯＥが入力されていたが、今はローレベルの出力イネーブル信号ＯＥが入力されている水平走査期間
条件Ｃ２：パーシャル表示モードにおいて、リフレッシュを行うと判断された垂直走査期間内にあり、ローレベルの出力イネーブル信号ＯＥが入力されている水平走査期間
イネーブル信号処理部１３から出力される追加指示信号１３０は、上記条件Ｃ１またはＣ２を満たす水平走査期間ではハイレベル、それ以外の水平走査期間ではローレベルとなる。
【００４０】
データ信号処理部１４は、出力イネーブル信号ＯＥおよび追加指示信号１３０に基づき、上記条件Ｃ１またはＣ２を満たす水平走査期間ではデータ信号ＤＡＴＡを白レベルに設定する。より詳細には、出力イネーブル信号ＯＥがハイレベルである場合には、データ信号処理部１４は、データ信号ＤＡＴＡをそのままデータ信号ＤＡＴＡ２として出力する。出力イネーブル信号ＯＥがローレベルで追加指示信号１３０がハイレベルである場合には、データ信号処理部１４は、データ信号ＤＡＴＡ２を白レベルに設定する。出力イネーブル信号ＯＥと追加指示信号１３０が共にローレベルである場合には、データ信号処理部１４は、データ信号ＤＡＴＡ２が流れる信号線に特定の電圧を印加しない。この場合、データ信号ＤＡＴＡ２は、ハイインピーダンス状態となる。
【００４１】
なお、イネーブル信号処理部１３は追加指示信号１３０を出力せず、データ信号処理部１４は、出力イネーブル信号ＯＥがローレベルである場合は常にデータ信号ＤＡＴＡ２を白レベルに設定することとしてもよい。
【００４２】
図５は、パーシャル表示モードにおいて、走査信号線とデータ信号線に印加される電圧の変化を示すタイミングチャートである。図５において、ラインｓは表示領域内の最後の行を示し、ライン（ｓ＋１）は表示領域外の最初の行を示す。以下、パーシャル表示モードにある液晶表示装置１が、ある画面において表示領域内の表示素子を駆動し終えた後、次の画面において表示領域内の表示素子を駆動し始めるまでの期間を「非表示期間」という。上記の例では、ライン（ｓ＋１）〜ラインｎに対応した水平走査期間が非表示期間となる。
【００４３】
図５に示すように、ライン１〜ラインｓに対応した水平走査期間のそれぞれでは、走査信号線Ｇ１〜Ｇｓの中から選択された一の走査信号線が活性化され、データ信号線Ｓ１〜Ｓｍにはデータ信号ＤＡＴＡに応じた電圧が印加される。これにより、表示領域内の表示素子は、通常どおり駆動される。また、ライン（ｓ＋１）に対応した水平走査期間では、走査信号線Ｇｓ＋１が活性化され、データ信号線Ｓ１〜Ｓｍには白レベルに応じた電圧（以下、白レベル電圧という）が印加される。このように非表示期間内の最初の水平走査期間ではデータ信号線Ｓ１〜Ｓｍに白レベル電圧が印加されるので、表示領域外の最初の行に配置された表示素子は白く見えるように駆動される。また、ライン（ｓ＋２）〜ラインｎに対応した水平走査期間のそれぞれでは、走査信号線Ｇ１〜Ｇｍはすべて非活性状態に保たれ、データ信号線Ｓ１〜Ｓｍに特定の電圧は印加されない。このように非表示期間内の２番目以降の水平走査期間では走査信号線Ｇ１〜Ｇｍが非活性状態に保たれるので、表示領域外の２番目以降の行に配置された表示素子は駆動されない。
【００４４】
以下、液晶表示装置１の効果を説明する。液晶表示装置１は、上述したように、全面表示とパーシャル表示とを切り替えて実行する。パーシャル表示モードでは、表示領域外の表示素子のうち、最初の行に配置された表示素子は白く見えるように駆動され、２番目以降の行に配置された表示素子は駆動されない。このようにパーシャル表示モードでは、表示領域外の表示素子の大部分は駆動されないので、その分だけ液晶表示装置１の消費電力を低減することができる。
【００４５】
また、パーシャル表示モードでは、表示領域外の最初の行に配置された表示素子を駆動するときにデータ信号線に印加された白レベル電圧は、その後も残ったままになる。したがって、表示領域外の表示素子では、走査信号線が非活性状態であるときにリーク電流が流れたとしても、表示素子が白く見える程度の電荷しか蓄積されない。以上のことから、液晶表示装置１によれば、尾引きの発生を低消費電力で抑制することができる。
【００４６】
さらに、パーシャル表示モードでは、垂直走査期間ごとにリフレッシュを行うか否かが判断され、リフレッシュを行う垂直走査期間では、表示領域外のすべての表示素子は白く見えるように駆動される。このように液晶表示装置１は、非表示期間内のすべての水平走査期間においてデータ信号線に白レベル電圧を印加する処理を周期的に行う。これにより、尾引きの発生をより確実に抑制することができる。
【００４７】
特に、非表示期間内の最初の水平走査期間においてデータ信号線に白レベル電圧を印加するとともに、非表示期間内のすべての水平走査期間においてデータ信号線に白レベル電圧を印加する処理を周期的に行うことにより、最低限必要とされる消費電力で尾引きの発生をより確実に抑制することができる。
【００４８】
本実施形態に係る液晶表示装置１については、各種の変形例を構成することができる。液晶表示装置１に含まれる駆動回路は、各非表示期間内の最初の水平走査期間において、データ信号線Ｓ１〜Ｓｍに白レベル電圧を印加することとしたが、より一般的に言えば、液晶表示装置に含まれる駆動回路は、各非表示期間内の一部の期間において（あるいは、各非表示期間内の一部の水平走査期間において）、データ信号線に白レベル電圧を印加してもよい。また、液晶表示装置に含まれる駆動回路は、非表示期間内の複数の水平走査期間において、データ信号線に白レベル電圧を印加してもよい。白レベル電圧を印加する回数を増やせば、尾引きの発生をより確実に抑制することができる。
【００４９】
また、パーシャル表示制御回路１０は、モード判別部１１に代えて、全面表示モードかパーシャル表示モードかを示す値を外部から設定するためのレジスタを含んでいてもよい。このような構成を有する液晶表示装置は、レジスタに設定された値に応じて、全面表示とパーシャル表示とを切り替えて実行する。
【００５０】
また、液晶パネル３０としてノーマリーブラックの液晶パネルを使用する場合には、パーシャル表示制御回路１０は、上記条件Ｃ１またはＣ２を満たす水平走査期間では、出力イネーブル信号ＯＥ２をイネーブル状態（ハイレベル）に設定するとともに、データ信号ＤＡＴＡ２を表示素子が黒く見えるレベルに設定する。これにより、ノーマリーブラックの液晶パネルを備えた液晶表示装置についても、パーシャル表示を行うときに発生する尾引きを低消費電力で抑制することができる。
【００５１】
また、液晶パネル３０の駆動回路は、走査信号線Ｇ１〜Ｇｎおよびデータ信号線Ｓ１〜Ｓｍに上述したタイミングで所定の電圧を印加する限り、任意の構成を有していてもよい。例えば、パーシャル表示制御回路１０と表示制御回路２１とを一つの回路で構成してもよい。また、パーシャル表示制御回路１０、表示制御回路２１、走査信号線駆動回路２２、および、データ信号線駆動回路２３の間の機能分担は任意でよい。
【図面の簡単な説明】
【００５２】
【図１】本発明の一実施形態に係る液晶表示装置の構成を示す図である。
【図２】図１に示す液晶表示装置の入力信号を示すタイミングチャートである。
【図３】図１に示す液晶表示装置の走査信号線とデータ信号線に印加される電圧の変化を示すタイミングチャートである。
【図４】図１に示す液晶表示装置のパーシャル表示制御回路の詳細を示す図である。
【図５】図１に示す液晶表示装置について、パーシャル表示モードにおいて走査信号線とデータ信号線に印加される電圧の変化を示すタイミングチャートである。
【図６】パーシャル表示を行う液晶表示装置で発生する尾引きを示す図である。
【符号の説明】
【００５３】
１…液晶表示装置
１０…パーシャル表示制御回路
１１…モード判別部
１２…リフレッシュタイミング生成部
１３…イネーブル信号処理部
１４…データ信号処理部
２１…表示制御回路
２２…走査信号線駆動回路
２３…データ信号線駆動回路
３０…液晶パネル
１１０…モード信号
１２０…リフレッシュ指示信号
１３０…追加指示信号
【図１】
2007003558.tif 000003
【図２】
2007003558.tif 000004
【図３】
2007003558.tif 000005
【図４】
2007003558.tif 000006
【図５】
2007003558.tif 000007
【図６】
2007003558.tif 000008